(57)【要約】【課題】紙幣を一時保留時に装置後面の出口から紙幣が露出する紙幣識別機において、一時保留時に紙幣識別機の出口から露出する紙幣の長さを短くした紙幣識別機を提供する。【解決手段】搬送路４へ出没して開閉するシャッタ１１の脚部１９を棒状とし、なおかつ脚部１９の先端を尖った針状の形状とした。またソレノイド１５よってシャッタ１１を駆動する機構は、ラック１４とピニオン１７とカム１８によって構成するとともに、該カム１８は直径方向の端部に山部１８ａと底部１８ｂを有し、該カム１８の回転に応じて、該カム１８の山部１８ａと底部１８ｂの間をシャッタが昇降することで前記シャッタ１１が往復移動をして搬送路４を開閉するようにした。【選択図】図３
2008287413.tif 000002
【特許請求の範囲】
【請求項１】
紙幣の搬送路を開閉するシャッタを備えた紙幣識別機において、ソレノイドと、ソレノイドの駆動により往復移動するラックと、該ラックと噛み合って回転するピニオンと、該ピニオンと一体であってシャッタと当接するカムとを備え、該カムは直径方向の端部に山部と底部を有し、該カムの回転に応じて、該カムの山部と底部の間をシャッタが昇降することで前記シャッタが往復移動をして搬送路を開閉することを特徴とした紙幣識別機。
【請求項２】
請求項１に記載のシャッタは、先端が尖った複数の棒状の脚部を有し、該脚部の先端が前記搬送路へ垂直に出没することで該搬送路を閉鎖することを特徴とする紙幣識別機。
【発明の詳細な説明】
【技術分野】
【０００１】
本発明は、パチンコ店に設置された台間玉貸機等に搭載される紙幣識別機に関し、特に紙幣を紙幣識別機内へ一時保留したとき、紙幣識別機の後面の出口から紙幣を露出する紙幣識別機において、前記紙幣識別機の後面の出口から露出した紙幣の長さを短くした紙幣識別機に関する。
【背景技術】
【０００２】
一般にパチンコ店にはパチンコ台と、紙幣や硬貨等の貨幣やカードを受け入れてパチンコ玉等を貸し出す台間玉貸機が交互に配置されており、これらのパチンコ台と台間玉貸機からなる列の端部には金種毎に紙幣を収納する紙幣収納庫を備えている。また、台間玉貸機には紙幣識別機が搭載されており、台間玉貸機の後面には、前記紙幣識別機から送出された紙幣を前記紙幣収納庫へ案内する搬送手段を有する紙幣引き込み搬送路が設けられている。そしてこれらパチンコ台、台間玉貸機、紙幣引き込み搬送路、紙幣収納庫等が一体となっていわゆる島を形成している。
【０００３】
このような台間玉貸機に搭載される紙幣識別機は、例えば特許文献１特開２００６−７９１５８号に開示されている。特開２００６−７９１５８号に示すように従来の紙幣識別機は、前面側に設けられた挿入口と後面側に設けられた出口と、該挿入口へ挿入された紙幣を出口へと案内する搬送手段が設けられた搬送路を備えている。さらに該搬送路には、紙幣が挿入口に挿入されたことを検知する入口センサと、搬送路を開閉するシャッタと、紙幣の特性データを取得する識別センサ及び磁気センサと、出口における紙幣の有無を検知する出口センサが前記挿入口から出口に向かって配設されている。
【０００４】
このような従来の紙幣識別機は、紙幣識別機内に紙幣が無い状態において前記シャッタが前記搬送路を閉鎖している。そして遊技者が前記挿入口へ紙幣を挿入すると、紙幣識別機は、該入口センサによる紙幣の検知に基づいて、該シャッタによって該搬送路を開放すると共に、前記搬送手段によって紙幣を前記識別センサが設けられた該搬送路下流方向へと案内し、紙幣の搬送中に該識別センサによって紙幣の特性データが取得され、該特性データに基づいて紙幣の真贋を識別し、真性と識別された紙幣は該シャッタより下流で尚且つ該識別センサの下流の搬送路内へ一時保留する。一時保留された該紙幣の一部は紙幣識別機の後面の出口から露出した状態となり、該出口から露出した紙幣先端が前記紙幣引き込み搬送手路へ接触しない位置で紙幣識別機に保持される。
【０００５】
紙幣を一時保留した状態において紙幣が真正であると判別され、尚且つ前記判別の結果を前記紙幣識別機から外部の前記台間玉貸機等へ送信後、紙幣識別機は再び紙幣を下流へと搬送して紙幣識別機の後面の出口より排出する。この時、出口へと案内される紙幣は、紙幣が紙幣識別機の前記出口から完全に抜けきる前に前記紙幣引き込み搬送路へと進入し、前記紙幣引き込み搬送路に設けられた搬送手段によって紙幣収納庫へと搬送される。
【０００６】
ところで、パチンコ店などにおける島は、より多くのパチンコ台を設置できるように、極力無駄なスペースが無いように構成されているため、紙幣識別機において一時保留された紙幣の出口から露出した先端部と紙幣引き込み搬送路との間隔も狭い。このために、紙幣識別機とその後面に設けられた紙幣引き込み搬送路との間のスペースが組立の誤差によって狭くなる方向にずれた場合、紙幣の一時保留中や一時保留の前に、該紙幣引き込み搬送路へと紙幣が進入してしまい、該紙幣引き込み搬送路に設けられた搬送手段によって該紙幣が紙幣収納庫へと搬送されてしまう問題があった。
【０００７】
【特許文献１】特開２００６−７９１５８号公報
【発明の開示】
【発明が解決しようとする課題】
【０００８】
上述のことから、紙幣識別機において、一時保留された紙幣の出口から露出した先端部と紙幣引き込み搬送路との間隔を広くする為に、紙幣の一時保留位置を搬送路の上流側へと移動させて、紙幣を一時保留したときに出口から露出した紙幣の先端までの長さを短くした紙幣識別機が望まれる。
【０００９】
しかし、従来の紙幣識別機は、たとえば特開２００６−７９１５８号に示すように、搬送路を開閉するシャッタ及びシャッタを駆動する機構を配置する領域が大きい為に、入口センサとシャッタの間隔および、シャッタと識別センサの間隔が広く、シャッタおよび識別センサを搬送路の上流へ移動することが難しかった。従って、紙幣の一時保留位置を挿入口側へと移動することが困難であった。
【００１０】
また従来の紙幣識別機では、シャッタの搬送路へ出没する部分は板形状であって、この板形状の部分の幅方向が搬送路の紙幣搬送方向へ沿うように複数配置することで搬送路を閉鎖する構成としていた。このため、シャッタ１１の搬送路４に出没する部分が搬送方向に占める領域が大きいために、シャッタおよび識別センサを搬送路の上流へ移動することが難しかった。従って、紙幣の一時保留位置を挿入口側へと移動することが困難であった。
【００１１】
本願発明は、上記の課題を解決するために、紙幣の一時保留位置を従来の紙幣識別機における位置よりも上流へと移動させて、紙幣識別機が紙幣を一時保留したときに、紙幣識別機後面の出口から露出した紙幣の先端までの長さが短い紙幣識別機を提供することを目的としている。
【課題を解決するための手段】
【００１２】
本発明に従った紙幣識別機１は、ソレノイド１５によってシャッタ１１を駆動して搬送路４を開閉する機構を、ソレノイドの駆動によって往復移動するラック１４と、ラック１４の往復移動を回転動へ変換するピニオン１７と、シャッタ１１へ当接しピニオン１７と共に回転するカム１８によって構成した。また、カム１８は、外周部に山部１８ａと底部１８ｂを有するとともに、山部１８ａから底部１８ｂへと坂を有する形状とした。そしてカム１８の回転によって、カム１８の山部１８ａと底部１８ｂの間で前記坂を介してシャッタ１１が昇降することにより、シャッタ１１が搬送路４に対して垂直に往復移動することで搬送路４を開閉するようにした。
【００１３】
さらにシャッタ１１は、先端が尖った複数の棒状の脚部１９を有し、該脚部１９の先端が該搬送路４へ垂直に出没することで該搬送路４を閉鎖するようにした。
【発明の効果】
【００１４】
本発明の請求項１記載の発明によれば、シャッタ１１と、ラック１４と、ピニオン１７とカム１８が、搬送路４の搬送方向に対して占有する領域を小さくした。これにより、入口センサ８と、シャッタ１１と識別センサ９を近づけて配置することが可能となったので、紙幣の一時保留位置を上流へと移動して、紙幣の一時保留時に出口３から露出した紙幣の先端までの距離を従来よりも短くすることを可能とした。
従って出口３から露出した紙幣先端から紙幣引き込み搬送路までの間隔が広くなった為、紙幣を一時保留中や紙幣を一時保留前に、紙幣が紙幣引き込み搬送路に備えられた搬送手段によって紙幣収納庫へ搬送されること防止可能とした。
【００１５】
また、カム１８の直径をピニオン１７よりも大きくすることで、カム１８がシャッタ１１に当接しながら回転する距離を、ソレノイド１５の駆動によりラック１４が往復移動する距離よりも長くしたから、カム１８が回転時にシャッタ１１からの受ける抵抗を軽減したことで、ストロークが短い小型のソレノイドでシャッタ１１を容易に往復移動可能とした。
【００１６】
また、シャッタ１１がカム１８の山部１８ａによって搬送路４の方向へ押し上げられた状態で搬送路を閉鎖することにより、挿入口２から異物を挿入してシャッタ１１を搬送路４から退避する方向へとこじ開ける悪戯を阻止することを可能とした。
【００１７】
請求項２に記載の発明によれば、紙幣に薄いテープ等を貼り付けて挿入されたとしても、シャッタ１１による搬送路４の閉鎖時に、脚部１９の先端が垂直に搬送路４へと突出して、前記テープを突き刺さして該テープを切り裂くから、紙幣の引き抜きを防止可能としている。従って板状部材を搬送路へと出没させる従来の紙幣識別機のシャッタに比較して、搬送路４の搬送方向にシャッタが占める領域を小さくしても紙幣の引き抜き防止を可能とした。
【発明を実施するための最良の形態】
【００１８】
以下本願発明の一実施例について図面を参照しながら説明する。図１は本願発明の一実施例における紙幣識別機１の概略側面図である。図１の点線で表された部分は、後述する装置内部の搬送路４内を示している。図１の一点鎖線で表された１００は紙幣識別機１に一時保留された紙幣を示している。図１のＧは、第一の実施例における、紙幣を一時保留した状態において紙幣識別機の後面１ｂから露出した紙幣の長さを表している。
【００１９】
図１に示す紙幣識別機１は、台間玉貸機に搭載されるものである。また紙幣識別機１は、略直方体状の箱形である。紙幣識別機１は、前面１ａに紙幣を垂直にした状態で内部へと挿入する挿入口２を備え、後面１ｂには出口３を備えており、紙幣識別機１の内部には、挿入口２から出口３へと連通し紙幣を案内する搬送路４が形成されている。
【００２０】
図２は、図１におけるＡ−Ａ断面図であって、紙幣の搬送方向に沿って装置内部に配設されたセンサ類と搬送手段を表した概略図である。
【００２１】
図１、図２に示すように、搬送路４には、紙幣識別機１の正面１ａに設けられた挿入口２から挿入された紙幣を紙幣識別機１の後面１ｂに設けられた出口３へと案内する搬送手段７が配置されており、紙幣挿入口２から出口３に向かう搬送路４に沿って、紙幣が挿入口２から挿入されたことを検知する入口センサ８と、搬送路４を開閉するシャッタ１１と、紙幣の透かしや色の特性データを取得する識別センサ９と、紙幣の磁気特性データを取得する磁気センサ６と、出口３における紙幣の有無を検知する出口センサ１０が配置されている。
【００２２】
搬送手段７は、搬送路４に複数設けられた駆動プーリ７ａと、これらの間にそれぞれ架け渡された搬送ベルト７ｂと、搬送路４を挟んで駆動プーリ７ａに対向して設けられた複数の受動ローラ７ｃからなる。なお駆動プーリ７ａは、図示しないモータを含む駆動手段によって駆動し、紙幣を搬送する。
【００２３】
入口センサ８は、透過型の光センサであって、搬送路４へ向けて配置した発光素子８ａと、搬送路４を挟んで発光素子８ａと対向する位置に配置した受光素子８ｂからなる。また発光素子８ａと搬送路４の間には発光素子8ａから照射された光を搬送路４へと案内する導光部材１２が配置されている。そして、発光素子８ａが搬送路４へ向けて照射した光が、入口から挿入された紙幣によって遮られて受光素子８ｂが受ける光量が減少することにより、紙幣の挿入を検出する。なお、入口センサ８は、紙幣の挿入を検出するばかりでなく、識別センサ９のように模様データを取得してもよい。また、入口センサ８の発光素子８ａと受光素子８ｂを並列に配置し、紙幣からの反射光の変化によって紙幣有無を検出する反射型センサとしてもよい。
【００２４】
識別センサ９は、透過型の光センサであって、搬送路４へ向けて配置した発光素子９ａと、搬送路４を挟んで発光素子９ａと対向する位置に配置した受光素子９ｂからなる。また発光素子９ａと搬送路４の間には発光素子９ａから照射した光を搬送路４へと案内する導光部材１２が配置されている。そして、発光素子８ａが搬送路４へ向けて照射した光が、入口から挿入された紙幣を透過したときの受光素子８ｂが受ける光量の変動によって、紙幣の色の特性や透かしの特性データを取得する。
【００２５】
入口センサ８の発光素子８ａと識別センサ９の発光素子９ａは単一の基板２２に搭載されている。さらに磁気センサ６も基板２２へ搭載されている。また基板２２は図示しない装置全体を制御する制御部を構成する制御回路を搭載している。
【００２６】
次に図２、図３、図４を参考にシャッタ１１の動作を説明する。なお、図３は図１におけるＢ−Ｂ断面図であって、シャッタ１１による搬送路の開閉動作を説明する為の概略図である。図３（Ａ）はシャッタ１１が搬送路４を閉じた状態を示し、図３の（Ｂ）はシャッタ１１が搬送路４を開いた状態を示す。図４は、ピニオン１７とカム１８が一体に構成されたカム体１６の説明図である。
【００２７】
シャッタ１１は、ソレノイド１５とラック１４と２つのカム体１６によって往復駆動される。シャッタ１１は、搬送路４の幅方向に沿って配置されており、搬送路４に向けて延在する複数の棒状であって円筒形状の脚部１９を供えている。この脚部１９が搬送路４へと出没することで、搬送路４を閉鎖する。脚部１９の先端は、尖った針形状となっている。なお本願発明の実施例では、１１本の脚部１９を備えているが、本願発明は、脚部１９の数に捉われるものではない。シャッタ１１には２対の軸孔１１ａが設けられており、搬送路４を構成する壁面５からから伸びた２本の軸２０が該軸孔１１ａが貫通して、シャッタ１１を往復移動可能に支持している。またシャッタ１１には、シャッタ１１を搬送路４から退避する方向に付勢するバネ２１が取り付けられている。またシャッタ１１がカム１８と当接する部分には、当接部１１ｂが設けられている。前記シャッタ１１がカム１８と当接する当接部１１ｂは図３のＣ−Ｃ断面に示すように山型の形状をしている。また、シャッタ１１の搬送路４の幅方向の一方の端部には、凸形状のリブ１１ｃが設けられている。このリブ１１ｃは、シャッタ１１が搬送路４を開放した状態において、装置本体側に設けられたフォトインタラプタ２３を遮る。これにより、紙幣識別機１はフォトインタラプタ２３からの信号によってシャッタ１１による搬送路４の開閉を常時監視することを可能としている。
【００２８】
ラック１４は、前記複数のシャッタ１１に沿って配設されている。ラック１４は、複数の歯を備えており、後述するカム体１６に設けられたピニオン１７の歯車に噛み合っている。ラック１４の一端はソレノイド１５のプランジャ１３に連結しており、搬送路４の幅方向に往復移動が可能なように図示しないガイドによって支持されている。
【００２９】
カム体１６は、図４に示すようにピニオン１７とカム１８が一体となって形成されている。カム体１６には、ピニオン１７の回転軸方向に向けて貫通する軸孔１６ａが設けられている。カム１８の直径は、ピニオン１７の直径より大きい。またカム１８の直径方向の外周は、平面からなる山部１８ａと底部１８ｂを有し、山部１８ａと谷１８ｂの間は緩やかな坂部１８Ｃを備える。図３に示すように、軸孔１６ａには、前述した搬送路４を構成する壁面５からから伸びた２本の軸２０が貫通しており、回動自在に支持されている。そして、ピニオン１７はラック１４の歯と噛合しており、カム１８はシャッタ１１の当接部１１ｂと当接している。
【００３０】
次に、シャッタ１１が搬送路４を開閉する際の動作を説明する。図３（Ａ）に示すシャッタ１１が搬送路４を閉鎖時、ソレノイド１５へ電力は供給されていない。このときシャッタ１１の当接部１１ｂが、カム体１６のカム１８の山部１８ａに当接している為、シャッタ１１の脚部１９が搬送路４に出没する。
【００３１】
図３（Ｂ）に示す、シャッタ１１が搬送路４を開放時は、、ソレノイド１５に電力が供給され、ソレノイド１５の駆動によりラック１４がソレノイド１５の方向に向かってスライドすることにより、カム体１６が回転して、シャッタ１１の当接部１１ｂは、坂部１８ｃを経由して底部１８ｂと当接する。これにより、シャッタ１１が搬送路４から退避する方向へと垂直にスライドすることで、脚部１９が搬送路４から退避した状態となる。
【００３２】
次に、本実施例における紙幣識別機１の全体の動作を説明する。紙幣識別機１は、紙幣が装置内に入っていない状態では、シャッタ１１が搬送路４を閉鎖しており、搬送手段７は停止している。ここで、挿入口４から紙幣が挿入されると、入口センサ８により紙幣が挿入されたことを検知し、図示しない制御部が、ソレノイド１５へ電力を供給してシャッタ１１が搬送路４から退避する方向へとスライドして搬送路４を開放する。また制御部は駆動手段７の搬送の駆動により紙幣を搬送路４の下流へと案内する。そして紙幣が入口センサ８及び識別センサ９及び磁気センサ６の各センサを通過中、各センサは紙幣の特性データを収集する。
【００３３】
なお、本発明の実施例では、入口センサ８が紙幣の挿入検知だけでなく、紙幣の透過光による色の特長データも収集しており、識別センサとしての機能も備えている。また識別センサ９は紙幣を透過する光を受光して紙幣の色の特長データを収集するとともに、すかし部の特長データを収集する。磁気センサ６は紙幣の磁気の特長データを収集する。これらのセンサにより収集した紙幣の特性データに基づいて紙幣識別機１の制御部は紙幣の真贋を判別する。上記のように、入口センサ８が紙幣の色の特長データを収集するようにすると、シャッタ１１より下流に配置する識別センサの数を削減できるために、従来よりも上流の位置で紙幣の真贋の判別を完了することが可能となり、さらに紙幣の一時保留位置を上流へと移動することが出来る。
【００３４】
装置内へと搬送された紙幣が識別センサ９を完全に通過すると、制御部は、ソレノイド１５への電力の供給を止めシャッタ１１が搬送路４を閉鎖する。さらに制御部は、搬送手段７の駆動を停止して紙幣を搬送路４内へ一時保留する。この時、図１に示すように紙幣識別機の後面１ｂから紙幣１００の一部が露出した状態で保留される。
【００３５】
紙幣が一時保留された状態において、制御部により紙幣が真正であると判別されると、紙幣識別機１は、判別結果を図示しない台間玉貸機へと送信する。そして紙幣を再び搬送路４の下流へと搬送して、出口３より紙幣を排出する。一方、紙幣が真正でないと判別した場合は、シャッタ１１により搬送路４を開放するとともに、紙幣を挿入口２へと搬送して返却する。
【００３６】
上述のように、本発明によれは、シャッタ１１の脚部１９を棒状としてなおかつ先端が尖った形状し、さらにシャッタ１１をソレノイド１５により駆動する機構をラック１４とピニオン１７とカム１８により構成することで、紙幣の引き抜きを防止すると共に、搬送路４の搬送方向に対してシャッタ１１とシャッタを駆動する機構を配置する領域の小型化を図った。これにより、搬送方向に対して入口センサ８、シャッタ１１、識別センサ９の間隔を詰めて配置することを可能とし、シャッタ１１の配置位置を上流側へ移動可能とした。よって紙幣の一時保留位置も上流へ移動可能となり、紙幣の一時保留時に出口から露出した紙幣の先端までの距離従来よりも短くすることを可能とした。
【図面の簡単な説明】
【００３７】
【図１】本願発明の実施例における紙幣識別機の側面図
【図２】図１におけるＡ−Ａ断面図
【図３】（Ａ）（Ｂ）図１におけるＢ−Ｂ断面図
【図４】カム体１６の説明図
【符号の説明】
【００３８】
１  紙幣識別機
１ａ  前面
１ｂ  後面
２  挿入口
３  出口
４  搬送路
５  側壁
６  磁気センサ
７  搬送手段
７ａ  駆動プーリ
７ｂ  搬送ベルト
７ｃ  受動ローラ
８  入口センサ
８ａ  発光素子
８ａ  受光素子
９  識別センサ
９ａ  発光素子
９ｂ  受光素子
１０  出口センサ
１１シャッタ
１１ａ  軸孔
１１ｂ  後端部
１２  光導部材
１３  プランジャ
１４  ラック
１５  ソレノイド
１６  カム体
１６ａ  軸孔
１７  ピニオン
１８  カム
１８ａ  山部
１８ｂ  底部
１８ｃ  坂部
１９  脚部
２０  軸
２１  バネ
２２  基板
２３  フォトインタラプタ
１００  紙幣
Ｇ  紙幣識別機１の出口３から露出した紙幣の長さを示したもの。
【図１】
2008287413.tif 000003
【図２】
2008287413.tif 000004
【図３】
2008287413.tif 000005
【図４】
2008287413.tif 000006